(57)【要約】【課題】養生シートを用いることなく、壁面を保護する。【解決手段】エレベータのかご室の壁面１１に取り付けられる装飾用のパネル構造は、複数の側板パネル１２〜１４と支持棒１６〜１９とを備えている。側板パネルは、表面シート層２１、装飾シート層２２、不燃シート層２３及びマグネットシート層２４からなる積層構造とされており、マグネットシート層２４が金属製の側壁１１に取り付けられている。支持棒は、磁石板２６とガイド板２７とから構成され、磁石板２６の幅はガイド板２７の幅よりも狭く形成されている。これにより、側板パネルの少なくとものその一部が、ガイド板２７と壁面１１との間に形成される窪みの中に入り込んだ状態で壁面１１に取り付けられる。【選択図】図２
2018177474.tif 000002
【特許請求の範囲】
【請求項１】
建築物の壁面に取り付けられる装飾用のパネル構造であって、
装飾が施された装飾シート層と、前記壁面に固着される固着シート層と、前記装飾シート層の表面に施された保護層とを有する複数の側板パネルと、
前記壁面と磁力による固着される磁石板と、前記磁石板に取り付けられるガイド板とを有する複数の支持棒とを備え、
前記磁石板の幅は前記ガイド板の幅よりも狭く形成されており、前記側板パネルは、少なくとものその一部が、前記ガイド板と前記壁面との間に形成される窪みの中に入り込んだ状態で前記壁面に取り付けられることを特徴とする、パネル構造。
【請求項２】
前記固着シート層は、前記壁面と磁力により固着される磁石シート層であることを特徴とする、請求項１に記載のパネル構造。
【請求項３】
前記支持棒の磁石板は、その磁力が前記側板パネルの前記磁石シート層よりも強くされていることを特徴とする、請求項２記載のパネル構造。
【請求項４】
前記固着シート層は、前記壁面に対して吸盤のように作用して密着する吸着シート層であることを特徴とする、請求項１に記載のパネル構造。
【請求項５】
前記側板パネルの厚さが、前記支持棒の厚さとほぼ同一であることを特徴とする、請求項１ないし４のいずれか記載のパネル構造。
【請求項６】
前記壁面は、エレベータのかご室の壁面であることを特徴とする，請求項１ないし５のいずれか記載のパネル構造。
【請求項７】
エレベータのかご室の壁面に取り付けられる装飾用のパネル構造であって、
装飾が施された装飾シート層と、前記壁面と磁力により固着される磁石シート層と、前記装飾シート層の表面に施された保護層とを有する複数の側板パネルと、
前記壁面と磁力による固着される磁石板と、前記磁石板に取り付けられるガイド板とを有する複数の支持棒とを備え、
前記磁石板の幅は前記ガイド板の幅よりも狭く形成されており、前記側板パネルは、少なくとものその一部が、前記ガイド板と前記壁面との間に形成される窪みの中に入り込んだ状態で前記壁面に取り付けられることを特徴とする、パネル構造。
【発明の詳細な説明】
【技術分野】
【０００１】
本発明は、例えばエレベータ内のかご室の壁面に取り付けられる装飾用のパネル構造に関するものである。
【背景技術】
【０００２】
建築物（例えば、エレベータを備えたオフィスビル）において、例えば引っ越しの際に大型の荷物を搬送する場合に、荷物がエレベータの乗りかごの壁面に接触すると、当該壁面に施された装飾面が傷ついてしまうおそれがある。このため、荷物搬送時には、乗りかごの壁面に養生シートを取り付けることで、壁面を保護するようにしている。
【０００３】
この養生シートを壁面に取り付けるにあたっては、かご室の壁面に設けられたフックに養生シートを架けるものや、養生シートの裏面に設けられたマグネットシートにより壁面に磁力により吸着させるものがある（例えば、特許文献１）。
【先行技術文献】
【特許文献】
【０００４】
【特許文献１】特開平１０−１８２０４０号公報
【発明の概要】
【発明が解決しようとする課題】
【０００５】
上記の養生シートを用いることでかご室の壁面を保護することができるものの、養生シートを別途用意し、保管しなければならなかった。また、養生シートはその使用場面が限られており、その表面には意匠が施されていないため、養生シートが用いられている間は、乗りかごの壁面の外観が見苦しいものとなっていた。
【０００６】
本発明は、上記に鑑みなされたものであり、養生シートを用いることなく、エレベータのかご室の壁面を保護することができるパネル構造を提供することを目的とする。
【課題を解決するための手段】
【０００７】
本発明に係るパネル構造は、建築物の壁面に取り付けられる装飾用のパネル構造であって、装飾が施された装飾シート層と、壁面に固着される固着シート層と、装飾シート層の表面に施された保護層とを有する複数の側板パネルと、壁面と磁力による固着される磁石板と、磁石板に取り付けられるガイド板とを有する複数の支持棒とを備え、磁石板の幅はガイド板の幅よりも狭く形成されており、側板パネルは、少なくとものその一部が、ガイド板と壁面との間に形成される窪みの中に入り込んだ状態で前記壁面に取り付けられることを特徴とする。
【０００８】
上記のパネル構造において、固着シート層は、壁面と磁力により固着される磁石シート層であることが好ましく、支持棒の磁石板は、その磁力が側板パネルの前記磁石シート層よりも強くされていることが好ましい。あるいは、固着シート層を、壁面に対して吸盤のように作用して密着する吸着シート層として構成しても良い。
【０００９】
上記のパネル構造において、側板パネルの厚さが、支持棒の厚さとほぼ同一であることを好ましい。また、上記のパネル構造を、エレベータのかご室の壁面に取り付けることが好ましい。
【００１０】
本発明に係るエレベータかご壁面のパネル構造は、装飾が施された装飾シート層と、壁面と磁力により固着される磁石シート層と、装飾シート層の表面に施された保護層とを有する複数の側板パネルと、壁面と磁力による固着される磁石板とこの磁石板に取り付けられるガイド板とを有する複数の支持棒とを備え、磁石板の幅はガイド板の幅よりも狭く形成されており、側板パネルは、少なくとものその一部が、ガイド板と壁面との間に形成される窪みの中に入り込んだ状態で壁面に取り付けられることを特徴とする。
【発明の効果】
【００１１】
本発明によれば、複数の側板パネルと支持棒とを備え、側板パネルの少なくともその一部が、支持棒と壁面との間に形成される窪みの中に入り込んだ状態で壁面に取り付けられるようにしたから、養生シートを用いることなく壁面を保護することができる。
【図面の簡単な説明】
【００１２】
【図１】本発明の一実施形態に係るパネル構造を備えたエレベータの乗りかごを示す模式図である。
【図２】パネル構造の構成の一例を示す断面図である。
【図３】パネル構造の配置の一例を示す説明図である。
【図４】パネル構造の配置の一例を示す説明図である。
【図５】パネル構造の配置の一例を示す説明図である。
【図６】パネル構造の配置の一例を示す説明図である。
【図７】パネル構造の構成の一例を示す説明図である。
【図８】パネル構造の構成の一例を示す説明図である。
【図９】パネル構造の構成の一例を示す説明図である。
【発明を実施するための形態】
【００１３】
以下、本発明の一実施形態に係るエレベータのかご室について、図面を参照して説明する。なお、同一または相当する構成要素には、同一の符号を付して重複した説明を省略する。
【００１４】
図１に示すように、本実施形態に係るエレベータのかご室１０の側壁１１には、複数枚の側板パネル１２〜１４が取り付けられ、これら側板パネル１２〜１４の両端には、支持棒１６〜１９が取り付けられて、側板パネル１２〜１４を保持している。
【００１５】
図２は、隣接する側板パネル１２、１３及び支持棒１７からなるパネル構造の断面を示したものである。側板パネル１２、１３は、表面シート層２１、装飾シート層２２、難燃性シート層２３及びマグネットシート層２４からなる積層構造とされており、マグネットシート層２４と金属製の側壁１１との間の磁力により、側板パネル１２が側壁１１に取り付けられている。
【００１６】
難燃性シート層２３は、例えばガラスクロスからなる耐火性に優れたシートであり、かご室１０を火災から保護するものである。装飾シート層２２は、装飾デザインが施された印刷シート層であり、かご室１０の外観に美観を与えるものである。表面シート層２１は、例えばメラミン樹脂の耐傷性に優れたシートであり、エレベータに搬入される物資が接触しても装飾シート層２２に傷が付かないように、装飾シート層２２を保護している。これにより、物資搬送用の養生シートを別途容易することなく、かご室の美観を保護することができる。なお、難燃性シートを省略しても良い。
【００１７】
支持棒１７は、磁石板２６とガイド板２７とから構成され、磁石板２６と側壁１１との間の磁力により，支持棒１７が側壁１１に取り付けられる。磁石板２６は、例えばネオジム磁石のような、磁力が側板パネル１２のマグネットシート層２４よりも高い材料で形成されており、これにより支持棒１７を側壁１１から取り外すのが困難になっている。また、ガイド板２７は、例えばステンレスから形成されており、側板パネル１２の装飾シート層２２と組み合わされることで、かご室１０の内部に美観を与えるものである。
【００１８】
図２において、ガイド板２７の幅に比べて、磁石板２６の幅が狭くなっており、側板パネル１２の幅方向の両端部がガイド板２７とかご室の側壁１１の間に形成された隙間に入り込む。これにより、支持棒１７が取り外されない限りは、側板パネル１２を容易に取り外すことができなくなるから、側板パネル１２の盗難や落下を防止することができる。
【００１９】
上記実施形態では、かご室の上下方向に延びた４本の支持棒と３枚の側板パネルについて説明したが、本発明において支持棒と側板パネルの組み合わせには特段の限定はなく、適宜変更することができる。例えば、図３に示すように、６枚の側板パネル３１〜３６を用いて側壁１１を覆うとともに、横方向に延びた支持棒３７〜３９を用いて上下に配設された側板パネルを支持するようにしても良い。これにより、個々の側板パネルのサイズが小さくなるため、側板パネルの設置が容易となる。
【００２０】
また、図４に示すように、横方向に延びた１本の支持棒４１と、図１の実施例よりも短い縦方向の支持棒４２〜４９により側板パネル３１〜３６を支持するようにしても良い。これにより、個々の支持棒の長さを短くすることができ、支持棒の取扱いが容易になる。
【００２１】
さらに、図５に示すように、台形ないし平行四辺形の側板パネル５０〜５２と、斜め方向に延びた支持棒５３、５４を用いて、かご室の側壁１１を覆うようにしてもよい。また、支持棒の配置には特段の制限はなく、例えば図６に示すように、サイズの異なる側板パネル７１〜７４と、中央に寄せた３本の支持棒７５〜７７を用いて、かご室の側壁１１を覆うようにしても良い。
【００２２】
上記実施形態では、支持棒を側壁の接合部分に配置しているが、支持棒の取付位置に制限はなく、例えば図７に示すように、支持棒１７，１８を側壁１１の接合部分から離れた位置に取り付けても良い。これにより、側壁を構成するパネルの目地を気にすることなく、建物の新築時のみならず、改修時においても本発明を同様に適用することができる。
【００２３】
また、図８に示すように、側板パネル６０，６１の厚さを支持棒１７とほぼ同一とし、表面シート層６２及び装飾シート層６３の幅を、不燃シート層６４及びマグネットシート層６５よりも狭くするように構成しても良い。これにより、側板パネル６０，６１のマグネットシート層６５側の一部の先端部分を、支持棒１７の裏側の隙間に差し込んだ状態で、側板パネル６０，６１を支持棒１７によって支持することができるとともに、側壁１１の表面の凹凸をなくすことができる。
【００２４】
上記の実施形態では、エレベータのかご室の側壁に側板パネルを設ける場合を例にして説明しているが、本発明はかご室の側壁に限られず、建築物の壁面に側板パネルを設ける場合にも適用することができる。図９は、プラスターボード８０に側板パネル８１及び８２を取り付けた実施例を示したものである。
【００２５】
側板パネル８１及び８２は、前述した表面シート層２１、装飾シート層２２、難燃性シート層２３と、吸着シート層８４を備えている。吸着シート層８４は、無数の微小なセルを備えた吸着層であり、被着体（プラスターボード８０）に対して吸盤のように作用して密着するものである。
【００２６】
プラスターボード８０のうち、支持棒１７が配置される部分には、粘着シートと鉄箔から構成される鉄箔テープ８４が貼付されている。支持棒１７は、鉄箔テープ８４と磁石板２６との間の磁力によりプラスターボード８０に固着される。側板パネル８１，８２の幅方向の両端部がガイド板２７とプラスターボード８０の間に形成された隙間に入り込み、吸着シート層８４によってプラスターボード８０に取り付けられる。
【００２７】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうる。本発明は、記載された実施形態に限定されることはなく、特許請求の範囲によって定義される技術的思想に従った最も広い範囲に解釈されるものである。
【符号の説明】
【００２８】
１０  かご室
１１  側壁
１２〜１４、３１〜３６、５０〜５２、６０，６１、７１〜７４、８１，８２  側板パネル
１６〜１９、３７〜３９、４１〜４９、５３，５４、７５〜７７  支持棒
【図１】
2018177474.tif 000003
【図２】
2018177474.tif 000004
【図３】
2018177474.tif 000005
【図４】
2018177474.tif 000006
【図５】
2018177474.tif 000007
【図６】
2018177474.tif 000008
【図７】
2018177474.tif 000009
【図８】
2018177474.tif 000010
【図９】
2018177474.tif 000011